(57)【特許請求の範囲】
【請求項１】
弾性材料からなり、中空部分を有する筒部と、該筒部に形成され取付に寄与する係止部と、上記筒部の上記係止部と反対側に形成されたヒレ部とからなり、機器の基材に取付られる気密用のパッキンにおいて、
上記筒部と上記係止部とが断面略コの字形状をなすように形成されており、略コの字形状部分に上記基材を嵌入することで取付られるものであるとともに、略コの字形状開口部分において、上記筒部には上記係止部と上記筒部との間隔が広くなるように傾斜部が形成されていることを特徴とするパッキン。
【請求項２】
上記筒部と上記係止部の境界部分を跨ぐように、上記略コの字形状開口部と反対側に突出部が形成されていることを特徴とする請求項１記載のパッキン。
【請求項３】
上記傾斜部が、直線状であることを特徴とする請求項１又は請求項２記載のパッキン。
【発明の詳細な説明】
【技術分野】
【０００１】
本発明は、例えば、電子レンジ、温蔵庫、蒸し器、乾燥機、クーラーボックス、炊飯器、ジャーポット、食器洗浄器などに好適に使用可能なパッキンに係り、特に、軽微な押圧でも充分な気密性が得られるものに関する。
【背景技術】
【０００２】
従来から、電子レンジの扉部分等には、電子レンジ内部の空気が外部に漏れないように、シリコーンゴム等からなるパッキンが取付けられ、このパッキンにより気密が図られていた（例えば、特許文献１参照。）。
【０００３】
本件に関連する他の技術として、例えば、特許文献２、特許文献３が挙げられる。
【０００４】
【特許文献１】特開平５−２６４５９号公報：松下電器産業
【特許文献２】特開平９−１５２０３７号公報：日星電気
【特許文献３】実開昭５７−２４３５８号公報：松下冷機
【発明の開示】
【発明が解決しようとする課題】
【０００５】
ここで、近年における電子レンジには、マイクロ波による加熱のみではなく、スチーム機能を付加したものがある。このようなスチーム機能を付加した電子レンジの場合、電子レンジ内部で大量に発生する水蒸気が外部に漏れないようにするため、パッキンによる気密性を更に高める必要がある。
【０００６】
パッキンにより気密を図る際には、押圧の力を強くすることで気密性を高めることが考えられるが、この場合、上記した従来技術に記載されたようなパッキンでは、パッキンを保持している樹脂基材に余計な力が掛かり、樹脂基材が歪んでそこから水蒸気が漏れてしまう恐れがある。また、余計な力が掛からないようにパッキンの硬度を低いものとした場合には、パッキンが樹脂機材から外れ易くなるという別の問題が生じてしまう。
【０００７】
本発明はこのような点に基づいてなされたもので、その目的とするところは、軽微な押圧でも充分な気密性が得られるパッキンを提供することにある。
【課題を解決するための手段】
【０００８】
上記目的を達成するべく本発明の請求項１によるパッキンは、弾性材料からなり、中空部分を有する筒部と、該筒部に形成され取付に寄与する係止部と、上記筒部の上記係止部と反対側に形成されたヒレ部とからなり、機器の基材に取付られる気密用のパッキンにおいて、上記筒部と上記係止部とが断面略コの字形状をなすように形成されており、略コの字形状部分に上記基材を嵌入することで取付られるものであるとともに、略コの字形状開口部分において、上記筒部には上記係止部と上記筒部との間隔が広くなるように傾斜部が形成されていることを特徴とするものである。
又、本発明の請求項２によるパッキンは、上記筒部と上記係止部の境界部分を跨ぐように、上記略コの字形状開口部と反対側に突出部が形成されていることを特徴とするものである。
又、本発明の請求項３によるパッキンは、上記傾斜部が、直線状であることを特徴とするものである。
【発明の効果】
【０００９】
本発明によれば、中空部分、ヒレ部、傾斜部の３つのクッション要素により、軽微な押圧であっても充分な気密性を得ることができる。勿論、パッキンを取付けた基材に余計な力が掛かり、基材が歪んでしまうようなことはない。
【発明を実施するための最良の形態】
【００１０】
以下、図面を参照して、本発明による実施の形態の一例を説明する。
【００１１】
図１に示すように、横幅が５．４ｍｍ、高さが７．１ｍｍ、長さが１２００ｍｍのパッキン１がある。中空部２ａを有する筒部２には、断面略コの字形状となるように係止部３が形成され、また、係止部３の反対側には、ヒレ部４が形成されている。
【００１２】
パッキン１を構成する材料としては、弾性材料であれば何でも良く、特に制限はない。例えば、フッ素ゴム、シリコーンゴム、エチレン−プロピレンゴム、アクリルゴム、ニトリルゴム、クロロプレンゴム、ブチルゴム、スチレン−ブタジエンゴム、ウレタンゴムなどのゴム材料が挙げられる。この中でもシリコーンゴムは、低温から高温までの耐久性に優れ、柔軟であり、耐候性にも優れるとともに、無臭且つ食品衛生上問題が生じることがないことから、種々の用途に展開できるため好ましい。特に、ＪＩＳ  Ａ硬度計で測定した硬度が４０〜８０（ＪＩＳ  Ｃ  ２１２３に準拠）であれば、軽微な力でも確実な気密性が得られるとともに、パッキンが基材から容易に外れてしまうことを防止できるため好ましい。また、上記したパッキンを構成する材料には、充填剤、顔料、耐熱向上剤、難燃剤等の各種添加剤を必要に応じて適宜配合しても良い。このようなものとして、例えば、シリカ、珪藻土、酸化チタン、酸化アルミニウム、酸化亜鉛、酸化鉄、酸化セリウム、マイカ、クレイ、炭酸亜鉛、炭酸マンガン、水酸化セリウム、ガラスビーズ、ポリジメチルシロキサン、アルケニル基含有ポリシロキサン、ポリオルガノシルセスキオキサンなどが挙げられる。又、複数種類の材料を配合しても良い。又、上記したゴム材料等を発泡させて使用しても良い。
【００１３】
又、上記したようなゴム材料を成形品として使用する際には、架橋する必要があるため、架橋剤が配合されることになるが、この架橋剤としては、一般的に用いられているものであればなんでも良く、特に限定されない。例えば、シリコーンゴムの場合、２，５ジメチル−２，５−ビス（ｔ−ブチルパーオキシ）ヘキサン、ジ−ｔ−ブチルパーオキサイド、ジクミルパーオキサイドなどの有機過酸化物が挙げられる。これらは、使用するゴム材料を考慮して適宜に選択する。
【００１４】
パッキン１の成形に際しては、従来公知の種々の成形法を用いれば良く、例えば、射出成形、プレス成形、押出成形など特に制限はないが、生産性に優れるという点から押出成形により成形することが好ましい。このようにして所定形状に成形した後、加熱することで架橋をし、パッキン１とする。
【００１５】
本発明においては、上記したように、ヒレ部４、筒部２に形成された中空部分２ａ、筒部２に形成された傾斜部２ｂ、を有している。そのため、「ヒレ部４が筒部２側に倒れることによるクッション」「中空部分２ａが潰れることによるクッション」「傾斜部２ｂにより筒部２全体が倒れることによるクッション」の３つのクッション要素を得ることができる。そのため、軽微な力であっても、充分な気密性を得ることが可能となる。
【００１６】
尚、図１に示すように、筒部２と係止部３の境界部分近傍において、略コの字形状開口部と反対側に突出部５を形成しても良い。こうすることで、パッキン１の略コの字形状開口部と反対側に隙間が生じた場合でも、突出部５によりこの隙間を塞ぐことができる。
【００１７】
又、図１に示すように、係止部３には、かえし部３ａを形成しても良い。こうすることにより、パッキン１を基板等に取付けた際に外れ難くすることができる。また、係止部３にも傾斜部３ｂを形成しても良い。こうすることで、基板等にパッキン１を取付け易くすることができる。
【００１８】
本発明によるパッキン１の使用態様として、端面ともう一方の端面とを接着剤等で接合し、リング状にして使用することも考えられる。
【００１９】
図３は、図１に示すパッキン１を上記のようにリング状とし、電子レンジ１０に使用されるパッキンとして適用した例である。電子レンジ１０の扉１１の内側は、樹脂製の基板１２が扉１１に嵌め込まれる構造となっており、この基板１２にパッキン１が取付けられる。基板１２へのパッキン１の取付けは、図３（Ｂ）に示すように、筒部２と係止部３とによる断面略コの字形状部分に基板１２を嵌入することによりなされる。このようにパッキン１が取付けられた状態で扉１１を閉めると、パッキン１は押圧を受けることになるが、この押圧は基材１２が歪まないように、触れる程度の軽微な押圧となる。本発明によるパッキン１であれば、上記したように、中空部分２ａ、ヒレ部４、傾斜部２ｂの３つのクッション要素を有していることから、このような軽微な押圧であっても充分な気密性を得ることができる。そのため、電子レンジ１０のスチーム機能を実際に使用してみたが、水蒸気が漏れるようなことは全くなかった。
【００２０】
尚、本発明は、上記した図１に示すようなパッキンに限定されるものではない。例えば、図２に示すように、ヒレ部４を垂直に形成しても良い。又、図１に示すパッキンではヒレ部４は、略コの字形状開口部側が先端となるように形成されているが、図１に示すパッキンとは逆に、略コの字状開口部側が根元となるようにヒレ部４を形成しても良い。
【００２１】
又、係止部３についても、図１に示す形状に限定されることはなく、傾斜部３ｂを形成しない形状でも良いし、かえし部３ａを形成しない形状でも良い。要は、筒部２と係止部３とが断面略コの字形状をなすように形成されていれば良く、詳細については取付ける基板の形状に応じて適宜に設計すれば良い。
【００２２】
又、突出部５は、必要に応じて適宜に形成すれば良く、突出部５の形状についても目的に応じて適宜設計すれば良い。
【産業上の利用可能性】
【００２３】
以上、詳述したように本発明によれば、軽微な押圧でも充分な気密性が得られるパッキンを提供することができる。従って本発明によるパッキンは、例えば、電子レンジ、温蔵庫、蒸し器、乾燥機、クーラーボックス、炊飯器、ジャーポット、食器洗浄器などなどをはじめとして、各種密封手段に好適に使用が可能である。
【図面の簡単な説明】
【００２４】
【図１】本発明の実施の形態を示す図で、パッキンの断面図である。
【図２】本発明の他の実施の形態を示す図で、パッキンの断面図である。
【図３】本発明の発泡シリコーンゴム成形体の実使用例を示す図で、（ａ）は電子レンジの斜視図、（ｂ）は（ａ）におけるＢ−Ｂ´斜視図である。
【符号の説明】
【００２５】
１  パッキン
２  筒部
２ａ  中空部
２ｂ  傾斜部
３  係止部
３ａ  かえし部
３ｂ  傾斜部
４  ヒレ部
５  突出部
１０  電子レンジ
１１  扉
１２  基板
【図３】
0004762637.tif 000002
【図１】
0004762637.tif 000003
【図２】
0004762637.tif 000004